(57)【要約】【課題】ケーブルの種類や形状、大きさに関わりなく、良好な貫通性能と気密防塵性を備えた気密コンセントカバー及び配線器具の施工方法の提供を課題とする。【解決手段】配線器具の背面部を被覆して気密防塵性を確保するための配線器具用の気密コンセントカバー１１に、伸縮性を有する肉厚の環状ワッシャ部２２と、その内側に張られた薄膜部分２３とを備えた伸縮挿通部２１を設ける。環状ワッシャ部２２をその伸縮性によって伸ばすと共に薄膜部分２３を内側または外側から破って、配線器具と外部との接続に用いられる部分を通す。【選択図】図１
2017212850.tif 000002
【特許請求の範囲】
【請求項１】
壁面や天井面などの取り付け面に設けられた開口部に取り付けられる配線器具の背面部を被覆するように配置される配線器具用の伸縮性のある気密コンセントカバーにおいて、
伸縮性を有する肉厚の環状ワッシャ部と、前記環状ワッシャ部の環状の内側に張られた薄膜部分とを備えた伸縮挿通部を備え、
前記環状ワッシャ部をその伸縮性によって伸ばすと共に前記薄膜部分を内側または外側から破って、前記配線器具と外部との接続に用いられる部分を通し得るように構成されたことを特徴とする配線器具用の気密コンセントカバー。
【請求項２】
前記配線器具と外部との接続に用いられる部分は、前記配線器具に接続されるケーブルと、前記配線器具から突出する接続部分との少なくとも何れか一方であり、
前記薄膜部分は切開用部を備え、前記切開用部の厚みは前記薄膜部分よりも薄く、
前記切開用部から前記薄膜部分を破って前記配線器具と外部との接続に用いられる部分を通するこができるように構成されたことを特徴とする請求項１記載の気密コンセントカバー。
【請求項３】
前記開口部の縁に配置されるフランジ部と、前記フランジ部から前記背面側に伸ばされたボックス部とを備え、
前記ボックス部は、筒状の側壁部と、前記側壁部の背面側を塞ぐ底壁部とを備え、
前記伸縮挿通部は、前記側壁部と前記底壁部との少なくとも何れか一方に配置されたことを特徴とする請求項１又は２に記載の気密コンセントカバー。
【請求項４】
前記底壁部は、前記側壁部に連続する周縁部分と、前記周縁部分に囲まれた中央部分とを備え、
前記中央部分は、前記周縁部分と略面一の位置、又は、前記周縁部分よりも前面側に凹んだ位置に配置されており、
前記伸縮挿通部に、前記ケーブルのうち先端に接続部材が設けられたケーブルを挿通し、
前記中央部分に、前記ケーブルのうち先端に接続部材がないケーブルを挿通するように構成されたことを特徴とする請求項３記載の気密コンセントカバー。
【請求項５】
気密防塵カバーは、伸縮性と難燃性とを有する素材により構成されており、
前記環状ワッシャ部の前記薄膜部分を内側または外側から伸ばして使用する際、前記環状ワッシャ部の内径が１．５倍以上となることができる伸縮性を有することを特徴とする請求項１〜４の何れかに記載の気密コンセントカバー。
【請求項６】
壁面や天井面などの取り付け面に対して開口部を形成する工程と、
請求項１〜５の何れかに記載の気密コンセントカバーを前記開口部の背面側に突出するように配置すると共に、配線器具の背面部が前記気密コンセントカバーにて被覆されるように配置する工程とを含み、
前記気密コンセントカバーの前記環状ワッシャ部をその伸縮性によって伸ばすと共に前記薄膜部分を内側または外側から破って、前記配線器具と外部との接続に用いられる部分を通すことを特徴とする配線器具の施工方法。
【発明の詳細な説明】
【技術分野】
【０００１】
本発明は、配線器具用の気密防塵カバー、特に伸縮性のある気密コンセントカバーと、この気密コンセントカバーを用いた配線器具の施工方法に関するものである。
【背景技術】
【０００２】
今日、壁等に埋込配置されたスイッチボックスと、埋込配線器具の前面部を露出させる開口窓を有したプレートとの間には、防気・防塵の目的で介在させる気密防塵カバーが広く用いられている（特許文献1〜３）。この種の気密防塵カバーは、壁面等の造営面に設けた器具取付穴等を通して空気が移動するのを防止することにより、すきま風や結露の発生、並びに塵埃が室内に侵入することを防ぐことができるものである。
【０００３】
特許文献１は、ＩＶ電線用挿通部を備えた気密防塵カバーを提案している。特許文献２に係る発明にあっては、特許文献１を改良するもので、特許文献１に係る気密防塵カバーではＩＶ電線に比べて外径の大きな電話用電線やテレビ用電線を挿通させることができず、電話コンセントやテレビコンセント等の埋込配線器具の設置には使用できないことに鑑み、外径の異なる複数種の電線が挿通可能である気密防塵カバーを提供することを課題としたものであった。この特許文献２に係る気密防塵カバーにあっては、ボックス状の底壁部には、テレビ用電線挿通用のテレビ用電線挿通筒、ＩＶ電線挿通用のＩＶ電線挿通筒、電話用電線挿通筒が突設されている。各電線挿通筒の内径は、それぞれテレビ用電線、ＩＶ電線、電話用電線を隙間なく挿入できるような寸法に設定され、各電線挿通筒内にはノックアウト用の薄肉部が形成されている。
【０００４】
特許文献３に係る発明は、埋込型配線器具の設置部における気密防塵性を損なうことなく、埋込型配線器具の取り付けを容易かつ確実に行うことが可能な手段を提供することを課題としており、埋込型配線器具の嵌挿部分を内部に収容し得る凹形状部と、フランジ部とを備え、前記凹形状部が、透明性または半透明性を有するとともに、細径の線材を突き通すことが可能な脆弱膜部が広範囲に形成された構成を有する気密防塵カバーを提案している。
【０００５】
ところが、特許文献１や２の気密防塵カバーにあっては、いずれも前記のように各種電線挿通用の挿通筒を用いることを特徴としている。この挿通筒は、その軸方向の長さが、その厚みの１０倍以上の長さを有するもので、これによって、挿通筒に通される各種の電線との密着性を高め、所期の目的を達成するものであった。
ところが、このような長い挿通筒を用いる結果、特許文献１の段落０００７に記載されたように水蒸気やガスの透過率の低いゴムのような材質のものが採用された場合であっても、特許文献２の段落０００９に記載されたように合成樹脂等（例えば、特殊軟化塩化ビニル樹脂）の成形品より構成した場合であっても、その伸縮性が乏しく、サイズの適合性や気密防塵に課題を残すものであった。特に最近は、電話線ケーブルやLANケーブルのように、ケーブルの先端に大きな接続部材を備えたものが増えており、挿通筒が邪魔をして、ケーブルを通すことができないという事態が発生するおそれがあった。
【０００６】
特許文献３にあっては、その段落００２３に、「このとき、前記カバー１０の凹形状部１１は、前記したように脆弱膜よりなる部位であるので、ワイヤ６１により容易に突き通すことができる。該ワイヤ６１を突き通した部分には、通常は裂開するようにして、小孔が形成されるが、このとき、該小孔の周囲の膜は以下のような挙動を示す。即ち、図５に示すように、ワイヤ６１により形成された小孔Ｐの周縁が摩擦によりワイヤ６１の周面に引張られ、これにともない小孔Ｐの周囲の膜が、通常はさらに裂開しながら、ある程度塑性的に延びて一方面側へ隆起する。ワイヤ６１による引張りが停止すると、図中の矢印Ａ１に示すように小孔Ｐの周縁部が弾性により収縮し、ワイヤ６１の周面に密着する。これにより、ワイヤ６１と小孔Ｐとの間が閉塞され、この部分における気密性が確保される。」としている（引用部分の図面及び符号は本明細書及び図面には不対応）。この気密防塵カバーは、脆弱膜よりなる部位（脆弱膜部）が広範囲に形成されているため、カバーを突き通す電線などのケーブルの種類や大きさや位置を選ばない利点がある反面、電線などのケーブルの種類によってはカバーを突き通す際に、先端の大きな接続部材によって脆弱膜部に大きな切り目が形成されてしまい、接続部材を通過させた後のケーブルの線部分に対してすき間が形成されてしまうおそれがあった。
【先行技術文献】
【特許文献】
【０００７】
【特許文献１】実開平５−２５２６号公報
【特許文献２】特開平１０−１３６５２９号公報
【特許文献３】特開２０００−３４１８２３号公報
【発明の概要】
【発明が解決しようとする課題】
【０００８】
本発明は、ケーブルの種類や形状、大きさに関わりなく、良好な貫通性能と気密防塵性を備えた伸縮性のある気密コンセントカバーの提供を課題とする。
また本発明は、ケーブルの種類や形状、大きさに関わりなく、良好な貫通性能と気密防塵性を実現することができる配線器具の施工方法の提供を課題とする。
【課題を解決するための手段】
【０００９】
本発明は、壁面や天井面などの取り付け面における開口部に取り付けられる配線器具の背面部を被覆して気密防塵性を確保するための気密コンセントカバーにおいて、次の手段を適用することにより、前記課題を解決する。
本発明の気密コンセントカバーにあっては、伸縮性を有する肉厚の環状ワッシャ部と、前記環状ワッシャ部の前記環状の内側に張られた薄膜部分とを備えた伸縮挿通部を設けたものである。本発明にあっては、前記環状ワッシャ部をその伸縮性によって伸ばすと共に前記薄膜部分を内側または外側から破って、前記配線器具と外部との接続に用いられる部分を通し得るように構成される。
【００１０】
前記配線器具と外部との接続に用いられる部分は、前記配線器具に接続されるケーブルと、前記配線器具から突出する接続部分との少なくとも何れか一方として実施することができる。
前記薄膜部分は切開用部を備え、前記切開用部の厚みは前記薄膜部分よりも薄く、前記切開用部から前記薄膜部分を破って前記配線器具と外部との接続に用いられる部分を通すことができる。
【００１１】
また本発明は、前記開口部の縁に配置されるフランジ部と、前記フランジ部から前記背面側に伸ばされた側壁部と、前記側壁部の背面側を塞ぐ底壁部とを備え、前記伸縮挿通部は、前記側壁部と前記底壁部との少なくとも何れか一方に配置されたものとして実施することができる。
【００１２】
さらに、前記底壁部は、前記側壁部に連続する周縁部分と、前記周縁部分に囲まれた中央部分とを備え、前記中央部分は、前記周縁部分と略面一の位置、又は、前記周縁部分よりも前面側に凹んだ位置に配置されており、前記伸縮挿通部に、前記ケーブルのうち先端に接続部材が設けられた器具付きケーブルを挿通し、前記中央部分に、前記ケーブルのうち先端に接続部材がない器具無しケーブルを挿通するように構成することもできる。
【００１３】
気密コンセントカバーは、伸縮性と難燃性とを有する素材により構成することが好ましい。
本発明にあっては、ケーブルを挿通することに際して、前記環状ワッシャ部の内側にのみ前記薄膜部分に挿通用の開口の発生を許しつつ、前記環状ワッシャ部自体がその内径において１.５倍以上（１．５〜５倍程度）に伸ばすことができる。これによってケーブル先端などに設けられる大きな接続部材の通過を許容し、大きな接続部材が通過した後は元の大きさまで収縮し、ケーブルの周面に密着する。また、大きな接続部材が露出した状態の場合は、大きな接続部材に沿って密着する。これにより、前記環状ワッシャ部と前記薄膜部分とによってケーブルの周囲が閉塞され、この部分における気密性が確保されるものである。また、難燃性については、コンセントからの火災の発生を抑制することができるものであればよいが、具体的には燃焼持続時間が３０秒以下であり、自己消火性を有することことが望ましい。
前記伸縮挿通部は種々変更して実施することができるが、例えば、前記薄膜部分は、その厚みが１mm以下、好ましくは０．１〜０．８mm程度であり、前記環状ワッシャ部は、その厚みおよび幅が、前記薄膜部分の２〜１０倍程度、好ましくは１〜５mm程度であることが望ましい。また、前記環状ワッシャ部の内径は、挿通するケーブルなどの太さに応じて種々変更して実施することができるが、φ１mm以上、好ましくはφ２〜φ１５mm程度であることが望ましい。また、伸縮性に関わる素材の硬度については、９０度以下、好ましくは３０〜６０度程度であることが望ましい。
【００１４】
また本発明は、壁面や天井面などの取り付け面に対して開口部を形成する工程と、請求項１〜５の何れかに記載の気密コンセントカバーを前記開口部の背面側に突出するように配置すると共に、配線器具の背面部が前記気密コンセントカバーにて被覆されるように配置する工程とを含む配線器具の施工方法を提供する。この施工方法にあっては、前記環状ワッシャ部をその伸縮性によって伸ばすと共に前記薄膜部分を内側または外側から破って、前記配線器具と外部との接続に用いられる部分を通すことを特徴とする。
【発明の効果】
【００１５】
本発明は、ケーブルの種類や形状、大きさに関わりなく、良好な貫通性能と形状保持性を備えた気密コンセントカバーを提供することができたものである。
また本発明は、ケーブルの種類や形状、大きさに関わりなく、良好な貫通性能と形状保持性を備えた配線器具の施工方法を提供することができたものである。
【図面の簡単な説明】
【００１６】
【図１】本発明の実施の形態に係る配線器具用の気密コンセントカバーを示すもので、（Ａ）は透視斜視図、（Ｂ）は同斜視図。
【図２】同気密コンセントカバーを示すもので、（Ａ）は平面図、（Ｂ）は正面図、（Ｃ）は底面図、（Ｄ）は側面図、（Ｅ）は正面図中央縦断面図。
【図３】（Ａ）は同気密コンセントカバーの環状ワッシャ部拡大図、（Ｂ）は同中央横切断端面図、（Ｃ）は同気密コンセントカバーの変更例を示す環状ワッシャ部拡大図、（Ｄ）は（Ｃ）のｄ−ｄ線切断端面図、（Ｅ）は同気密コンセントカバーの他の変更例を示す要部拡大図、（Ｆ）は同中央横切断端面図。
【図４】同気密コンセントカバーの使用状態の分解斜視図。
【図５】同気密コンセントカバーのケーブルとの接続を示す斜視図。
【図６】（Ａ）〜（Ｅ）はそれぞれ同気密コンセントカバーのケーブルとの接続状態を示す説明図、（Ｆ）は同気密コンセントカバーの変更例を示す中央縦断面図。
【図７】本発明の他の実施の形態に係る配線器具用の気密コンセントカバーの透視斜視図。
【図８】同気密コンセントカバーを示すもので、（Ａ）は平面図、（Ｂ）は正面図、（Ｃ）は底面図、（Ｄ）は側面図、（Ｅ）は正面図中央縦断面図、（Ｆ）は正面図中央横断面図。
【図９】（Ａ）は同気密コンセントカバーの斜視図。（Ｂ）は同気密コンセントカバーの使用状態の斜視図。
【図１０】同気密コンセントカバーの使用状態の分解斜視図。
【発明を実施するための形態】
【００１７】
（第１の実施の形態）
まず図１から図６を参照して、本発明の第１の実施の形態を説明する。
この実施の形態に係る気密コンセントカバー１１は、図４に示すように、配線器具３３の背面部３５を被覆して気密防塵性を確保するために用いられるものである。一般に配線器具３３は、壁面や天井面などの取り付け面３１に設けられた開口部３２に取り付けられるが、室内の密閉性が向上した今日の建物においては、配線器具３３のすき間を通じて空気や塵が室内外を通過することを防ぐために、気密コンセントカバー１１が設けられることが多い。
この実施の形態にかかる気密コンセントカバー１１も同様の目的のために設けられたもので、従来の気密コンセントカバー１１と基本構造を同じくするものである。
【００１８】
（気密コンセントカバー１１の具体的な構造）
図１及び図２を参照して気密コンセントカバー１１の具体的な構造を説明すると、気密コンセントカバー１１は、ボックス部１２とその前面側の開口端に設けられたフランジ部１３とを備えている。ボックス部１２とフランジ部１３は通常一体に形成されるが、一体に形成されることは必須の要件ではない。ボックス部１２は、有底筒状をなし、この例では上下左右の側壁部１５と、その背面を閉ざす底壁部１６とを備えている。なお側壁部１５と底壁部１６を区別する必要がないときにはこれらを合わせて壁部１４と呼ぶ。
【００１９】
壁部１４の適宜位置（図１及び図２では上下の側壁部１５と底壁部１６）には、伸縮挿通部２１が形成され、伸縮挿通部２１の内側に張られた薄膜部分２３を破って各種のケーブル４１が通されて、配線器具３３に接続される。
この例では、全体で四角筒状を形成する側壁部１５の前面側の開放端にフランジ部１３が形成され、このフランジ部１３は、正面視略四角形をなし、ボックス部１２の外側に連続して張り出している。
【００２０】
（伸縮挿通部２１の説明）
図３を参照して、伸縮挿通部２１ついて説明する。伸縮挿通部２１は、図３（Ａ）（Ｂ）に示すように、伸縮性を有する肉厚の環状ワッシャ部２２と、環状ワッシャ部２２の環状の内側に張られた薄膜部分２３とを備えたもので、これらは壁部１４と一体に形成されている。
【００２１】
薄膜部分２３は、０．１〜０．８mm程度の厚みの薄い部分であり、図５及び図６に示すケーブル４１の先端を突き刺すことにより、貫通することができる。
環状ワッシャ部２２は、薄膜部分２３の周囲に形成されたもので、次の作用を果たす。
【００２２】
第一は、ケーブル４１の先端で破る際に生じる挿通時の開口が環状ワッシャ部２２を超えて大きくなることを規制することができると共に、突き刺しの力が分散してしまうことを防いで比較的小さな力で薄膜部分２３を破ることができるようにする。
第二は環状ワッシャ部２２自体が伸縮性を保有することにより、先端に大きな接続部材４２を備えたケーブル４１についても、通すことができるようにする。
【００２３】
第三は、第一と第二の相乗効果という言うべきもので、環状ワッシャ部２２の内側にのみ薄膜部分２３の切れ目の発生を許しつつ、環状ワッシャ部２２自体が広がることによって大きな接続部材４２の通過を許容し、大きな接続部材４２が通過した後は元の大きさ（ケーブル４１の線部分のサイズに適合した大きさ）まで収縮し、ケーブル４１の周面に密着する。これにより、環状ワッシャ部２２と薄膜部分２３とによってケーブル４１の周囲が閉塞され、この部分における気密防塵性が確保されるものである。
【００２４】
環状ワッシャ部２２は、前記の作用を発揮できるものであればその大きさや形等は特に限定されるものではないが、その厚み（図３（Ｂ）における垂直方向の長さａ）および幅（図３（Ｂ）における水平方向の長さｂ）は、薄膜部分２３の２〜１０倍程度、好ましくは１〜５mm程度である。また、その断面形状も図示した円形の他、楕円形や多角形などに変更して実施することができ、その厚みａと幅ｂとの比率は、図示した１対１に限定されるものではなく、ａ：ｂ＝１：５〜５：１、好ましくはａ：ｂ＝１：３〜３：１とすることができるが、その材質や大きさなど他の条件と併せて前記の作用を発揮できるものであればよい。
【００２５】
図３（Ｃ）〜（Ｆ）に示すように、薄膜部分２３は挿通用の開口溝２４を備えたものとして実施することもできる。挿通用の開口溝２４の厚みは薄膜部分２３よりも薄く、挿通用の開口溝２４から薄膜部分２３を破ってケーブル４１を通し易くすることができる。その形状は、十文字状の交差した線分や、円形の線分の他、１本の線分や、点や、点の集合など、薄膜部分２３の破れを容易にすることができるものであれば種々変更して実施することができる。
【００２６】
環状ワッシャ部２２の内径（言い換えれば薄膜部分２３の外径）は、ケーブル４１の種類によって種々変更して実施することができる。一般的には挿通されるケーブル４１の外形と大きさに適合するものであればよく、φ２〜φ１５mm程度の径を備えたものとして実施することができる。
環状ワッシャ部２２の正面形状は、図に示したような円形の他、楕円形状や、矩形などの多角形であってもかまわず、二重などの多重の環状であってもかまわず、環状の一部分が分断されているものであってもかまわない。
【００２７】
環状ワッシャ部２２、薄膜部分２３を含むボックス部１２並びにフランジ部１３は、天然ゴムや合成ゴムなどの加硫ゴムや、ウレタン、シリコーン、フッ素など熱硬化性樹脂系エラストマーや、熱可塑性樹脂系エラストマーなどのエラストマーに代表される各種ゴム弾性を有する素材で形成することができる。また耐熱性を高めるためにエラストマーに各種の耐熱材料を混合して、伸縮性と難燃性とを有する素材とすることも好ましい。また、伸縮性に関わる硬度については、９０度以下、好ましくは３０〜６０度程度であることが望ましい。難燃性については、燃焼持続時間が３０秒以下であり、自己消火性であることが望ましい。
【００２８】
（伸縮挿通部２１と壁部１４との関係）
前記の伸縮挿通部２１は壁部１４の適宜位置に形成することができる。また各壁部１４に複数の伸縮挿通部２１を形成することも可能である。その際、図３（Ｂ）に示したように、壁部１４の全体を薄膜部分２３と同じ厚みにすることも可能である。また図３（Ｄ）に示したように、壁部１４の厚みを薄膜部分２３の１．５〜３倍程度の厚みとして実施することもでき、さらにそれより厚みの大きなものであっても構わない。
【００２９】
また、底壁部１６については壁部１４を薄膜部分２３と同じ厚みにし、側壁部１５については壁部１４を薄膜部分２３の厚みよりもの大きなものとすることもできる。これによって、側壁部１５に適度な形状を維持する機能を付与することができ、ボックス部１２の形状を安定させることができる。
【００３０】
（気密コンセントカバー１１の取り付け構造）
図４を参照して、気密コンセントカバー１１の取り付け構造について説明する。気密コンセントカバー１１は、壁や天井などの取り付け面３１に設けられた開口部３２に配置される。その際、ボックス部１２は開口部３２の前面側から背面側に挿入され、フランジ部１３が取り付け面３１の前面に沿わされる。気密コンセントカバー１１の前面側に配線器具３３が配置される。配線器具３３は、その前面部３４に電線の差し込みプラグ、電話線ケーブル用のジャック、TVケーブルやLANケーブル用の接続端子など、室内側の各種ケーブルに対する接続部分を備えており、その背面部３５は後方に突出して各種の接続構造部分が配置されている。この背面部３５は気密コンセントカバー１１のボックス部１２内に配置される。言い換えれば、ボックス部１２は背面部３５を内部に配置できる程度の大きさでフランジ部１３から後方に突出して設けられている。配線器具３３は、取り付け面３１に対してネジによって固定されるが、そのねじ挿通穴が配線器具３３の上下及びフランジ部１３の上下にそれぞれ形成されている。
配線器具３３の周囲には、コンセント意匠カバー取付け部３７が配置される。このコンセント意匠カバー取付け部３７にコンセント意匠カバー３８が取付けられるが、これによって、フランジ部１３は外部から見えないように隠される。
【００３１】
（各種ケーブル４１の接続構造）
図５と図６を参照して、各種ケーブル４１の接続構造について説明する。今日のIT社会にあっては、各種事業所はもちろん一般家庭における室内についても種々のケーブルが使用される。具体的には従来の電源配線用ケーブル４５に加えて、電話用ケーブル４４やTV用ケーブル４６はもとよりLAN用ケーブル４３が用いられている。特にLAN用ケーブル４３については大きな接続部材４２がその先端に設けられている。この実施の形態の気密コンセントカバー１１にあっては、そのすべてについて対応することができる。
【００３２】
具体的には、電源配線用ケーブル４５と電話用ケーブル４４については底壁部１６から挿通し、LAN用ケーブル４３とTV用ケーブル４６については上下の側壁部１５から挿通するように構成されている。ただしこの接続位置は、種々変更して実施することができる。
図６（Ａ）に示すように、電源配線用ケーブル４５については、底壁部１６の適宜位置から挿通することができる。前述のように底壁部１６はその全体が厚みの小さな薄い膜となっているため、特許文献３と同様に、その適宜位置から電源配線用ケーブル４５を通すことができる。
【００３３】
図６（Ｂ）に示すように、電話用ケーブル４４については、底壁部１６の伸縮挿通部２１から挿通することができる。電話用ケーブル４４は電源配線用ケーブル４５よりも径が大きいため、伸縮挿通部２１から挿通することで、前述の作用効果を発揮することができ、適切な挿通及び配線が可能となる。
【００３４】
図６（Ｃ）に示すように、TV用ケーブル４６については、下方の側壁部１５の伸縮挿通部２１から挿通することができる。TV用ケーブル４６は電源配線用ケーブル４５よりも径が大きいため、伸縮挿通部２１から挿通することで、前述の作用効果を発揮することができ、適切な挿通及び配線が可能となる。また、配線器具３３における背面部３５の接続部分３６が下方や上方にある場合には、図６（Ｄ）に示すように、配線器具３３側の接続部分３６により、伸縮挿通部２１の薄膜部分２３を内側（室内側）から外側（室外側）へ破って、挿通することもできる。
【００３５】
図６（Ｅ）に示すように、LAN用ケーブル４３については、上方の側壁部１５の伸縮挿通部２１から挿通することができる。その際、ケーブル４３の接続部材４２を、伸縮挿通部２１の外側から内側へ破って挿通することもできる。
【００３６】
（変形例）
この実施の形態にかかる気密コンセントカバー１１は本発明の趣旨を阻害しない限り、種々変更して実施することができる。たとえば、図６（Ｆ）に示すように、底壁部１６についてフラットなものとして実施できるほか、周縁部分１７に比べて中央部分１８を前方へ突出したものとして実施することができる。これは配線器具３３の背面部３５の後方への突出量が小さな場合に有効であり、配線器具３３と中央部分１８との空間を少なくすることができる。
【００３７】
なお叙上の説明では、ケーブルなどで薄膜部分２３を破ることを示したが、カッター、ナイフ、ドライバやペン先の工具等で切って、薄膜部分２３を破っても構わない。
【００３８】
（第２の実施の形態）
次に図7から図１０を参照して、本発明の第２の実施の形態を説明する。
先の実施の形態に係る気密コンセントカバー１１は、配線器具３３が１個のものに対するものであったが、この実施の形態に係る気密コンセントカバー１１は、配線器具３３が左右に２個並べられたものに対するものであり、２個の大きさを備えたボックス部１２とフランジ部１３とを有するものである。なお配線器具３３が左右に３個以上並べられたものに対する場合、３個以上の大きさを備えたものとすることもできる。
【００３９】
その際、ボックス部１２を左右に分けずに実施することもできるが、この例では、左右に区画するための区画壁１９が設けられている。区画壁１９は上下の側壁部１５に接続して一体に形成することもできるが、この例では、区画壁１９と側壁部１５とが分離されている。これによって、区画壁１９を立てた状態で使用することもでき、倒した状態で使用することもできる。
【００４０】
図９は倒した状態で使用する場合を示したもので、配線器具３３の背面部３５が左右につながっている場合である。この場合、区画壁１９を立てた状態だと背面部３５に干渉してセットすることができないが、背面部３５を倒すことによって無理なくセットすることができる。
【００４１】
他方、図１０に示すように、配線器具３３の背面部３５が左右に分離している場合には、区画壁１９を立てた状態で使用することにより、左右の背面部３５同士の間の電気的な干渉を抑制することができる。
なお、図の例では、左右のそれぞれの部分に設けられた環状ワッシャ部２２は同じものとしたが、異なるものとして実施することもできる。また第一の実施の形態において示された変更例を、この実施の形態に適用することも可能である。
【００４２】
（施工方法）
次に本発明の施工方法の実施の形態を説明する。
図４及び図１０に示すように、壁面や天井面などの取り付け面３１に対して開口部３２を形成する工程を行う。開口部３２は、壁面や天井面が完成した後にその取り付け面３１を切断して形成するものであってもよいし、予め開口部３２を形成したボードなどを用意し、これを用いて壁面や天井面を作成してもかまわない。
【００４３】
次に、気密コンセントカバー１１を開口部３２の背面側に突出するように配置すると共に、配線器具３３の背面部が気密コンセントカバー１１にて被覆されるように配置する工程を行う。具体的には、まず開口部３２の前面側から気密コンセントカバー１１のボックス部１２を背面側に挿入して背面側に突出させ、フランジ部１３のみを前面側に配置する。そして、配線器具３３の背面部３５を開口部３２の前面側から背面側に挿入する。これにより、配線器具３３の背面部３５は、気密コンセントカバー１１のボックス部１２にて被覆された状態となると共に、配線器具３３の前面部３４の周縁部分が、気密コンセントカバー１１のフランジ部１３の前方に配置された状態となる。なお、配線器具３３と気密コンセントカバー１１とを予めセットした状態で、開口部３２に挿入して配置するようにしてもよい。配線器具３３と気密コンセントカバー１１とが配置された状態で、ネジなどの固定手段を用いて、配線器具３３の前面部３４の周縁部分と気密コンセントカバー１１のフランジ部１３と取り付け面３１とを固定する。さらに、コンセント意匠カバー取付け部３７とコンセント意匠カバー３８とを順次取り付ける。
【００４４】
次に、配線器具３３とケーブル４１との接続の工程に際しては、図５及び図６と前述の（各種ケーブル４１の接続構造）にて説明したように、気密コンセントカバー１１の環状ワッシャ部２２をその伸縮性によって伸ばすと共に、薄膜部分２３を内側または外側から破り、配線器具３３とケーブル４１との接続に用いられる部分を通して、配線器具３３とケーブル４１との接続作業を行えばよい。また、場合によっては、気密コンセントカバー１１と配線器具３３とを取り付け面３１から外した状態で、配線器具３３とケーブル４１との接続作業を行うようにしてもかまわない。
本発明の施工方法は、図１〜図１０を参照して説明した各実施の形態及びその変形例について適用することができるものである。
【符号の説明】
【００４５】
１１  気密コンセントカバー
１２  ボックス部
１３  フランジ部
１４  壁部
１５  側壁部
１６  底壁部
１７  周縁部分
１８  中央部分
１９  区画壁
２１  伸縮挿通部
２２  環状ワッシャ部
２３  薄膜部分
２４  挿通用の開口溝
３１  取り付け面
３２  開口部
３３  配線器具
３４  前面部
３５  背面部
３６  接続部分
３７  コンセント意匠カバー取付け部
３８  コンセント意匠カバー
４１  ケーブル
４２  接続部材
４３  LAN用ケーブル
４４  電話用ケーブル
４５  電源配線用ケーブル
４６  TV用ケーブル
【図１】
2017212850.tif 000003
【図２】
2017212850.tif 000004
【図３】
2017212850.tif 000005
【図４】
2017212850.tif 000006
【図５】
2017212850.tif 000007
【図６】
2017212850.tif 000008
【図７】
2017212850.tif 000009
【図８】
2017212850.tif 000010
【図９】
2017212850.tif 000011
【図１０】
2017212850.tif 000012
【手続補正書】
【提出日】平成28年10月7日(2016.10.7)
【手続補正１】
【補正対象書類名】特許請求の範囲
【補正対象項目名】全文
【補正方法】変更
【補正の内容】
【特許請求の範囲】
【請求項１】
壁面や天井面などの取り付け面に設けられた開口部に取り付けられる配線器具の背面部を被覆するように配置される配線器具用の伸縮性のある気密コンセントカバーにおいて、
伸縮性を有する肉厚の環状ワッシャ部と、前記環状ワッシャ部の環状の内側に張られた厚み方向に貫通していない薄膜部分とを備えた伸縮挿通部を備え、
前記環状ワッシャ部は、前記環状ワッシャ部自体がその内径において１.５倍以上に伸ばすことができ、
前記環状ワッシャ部をその伸縮性によって伸ばすと共に前記薄膜部分を内側または外側から破って、前記配線器具と外部との接続に用いられる部分を通し得るように構成されたことを特徴とする配線器具用の気密コンセントカバー。
【請求項２】
壁面や天井面などの取り付け面に設けられた開口部に取り付けられる配線器具の背面部を被覆するように配置される配線器具用の伸縮性のある気密コンセントカバーにおいて、
伸縮性を有する肉厚の環状ワッシャ部と、前記環状ワッシャ部の環状の内側に張られた厚み方向に貫通していない薄膜部分とを備えた伸縮挿通部を備え、
前記環状ワッシャ部をその伸縮性によって伸ばすと共に前記薄膜部分を内側または外側から破って、LAN用ケーブルの先端の接続部材を通し得るように構成され、且つ、前記環状ワッシャ部の内側にのみ前記薄膜部分の切れ目の発生を許しつつ、前記環状ワッシャ部自体が広がることによって前記接続部材の通過を許容し、前記接続部材が通過した後は元の大きさまで収縮し、前記ケーブルの周面に密着することにより、前記環状ワッシャ部と前記薄膜部分とによって前記ケーブルの周囲が閉塞されるように構成されたことを特徴とする気密コンセントカバー。
【請求項３】
前記気密コンセントカバーは、伸縮性と難燃性とを有する素材により構成されており、
前記開口部の縁に配置されるフランジ部と、前記フランジ部から前記背面側に伸ばされたボックス部とを備え、
前記ボックス部は、筒状の側壁部と、前記側壁部の背面側を塞ぐ底壁部とを備え、
前記伸縮挿通部は、前記側壁部と前記底壁部との少なくとも何れか一方に配置され、
前記ボックス部は前記開口部の前面側から背面側に挿入され、前記フランジ部が前記開口部の取り付け面の前面に沿わされるものであり、
前記配線器具と外部との接続に用いられる部分は、前記配線器具に接続されるケーブルと、前記配線器具から突出する接続部分との少なくとも何れか一方であり、
前記薄膜部分は切開用部を備え、前記切開用部の厚みは前記薄膜部分よりも薄く、
前記切開用部から前記薄膜部分を破って前記配線器具と外部との接続に用いられる部分を通することができるように構成されたことを特徴とする請求項１又は２記載の気密コンセントカバー。
【請求項４】
前記底壁部は、前記側壁部に連続する周縁部分と、前記周縁部分に囲まれた中央部分とを備え、
前記中央部分は、前記周縁部分と略面一の位置、又は、前記周縁部分よりも前面側に凹んだ位置に配置されており、
前記伸縮挿通部に、前記ケーブルのうち先端に接続部材が設けられたケーブルを挿通し、
前記中央部分に、前記ケーブルのうち先端に接続部材がないケーブルを挿通するように構成されたことを特徴とする請求項３記載の気密コンセントカバー。
【請求項５】
請求項１〜４の何れかに記載の気密コンセントカバーと、壁面や天井面などの取り付け面に設けられた前記開口部と、前記配線器具とを備え、
前記気密コンセントカバーは、前記開口部の背面側に突出するように配置され、前記配線器具の背面部が前記気密コンセントカバーにて被覆されており、
前記配線器具と外部との接続に用いられる部分が、前記薄膜部分を貫通していることを特徴とする配線器具の配置構造。
【請求項６】
壁面や天井面などの取り付け面に対して開口部を形成する工程と、
請求項１〜４の何れかに記載の気密コンセントカバーを前記開口部の背面側に突出するように配置すると共に、配線器具の背面部が前記気密コンセントカバーにて被覆されるように配置する工程とを含み、
前記気密コンセントカバーの前記環状ワッシャ部をその伸縮性によって伸ばすと共に前記薄膜部分を内側または外側から破って、前記配線器具と外部との接続に用いられる部分を通すことを特徴とする配線器具の施工方法。
【手続補正３】
【補正対象書類名】明細書
【補正対象項目名】０００８
【補正方法】変更
【補正の内容】
【０００８】
本発明は、ケーブルの種類や形状、大きさに関わりなく、良好な貫通性能と気密防塵性を備えた伸縮性のある気密コンセントカバーの提供を課題とする。
また本発明は、ケーブルの種類や形状、大きさに関わりなく、良好な貫通性能と気密防塵性を実現することができる配線器具の配置構造並びに施工方法の提供を課題とする。
【手続補正４】
【補正対象書類名】明細書
【補正対象項目名】０００９
【補正方法】変更
【補正の内容】
【０００９】
本発明は、壁面や天井面などの取り付け面における開口部に取り付けられる配線器具の背面部を被覆して気密防塵性を確保するための気密コンセントカバーにおいて、次の手段を適用することにより、前記課題を解決する。
本発明の気密コンセントカバーにあっては、伸縮性を有する肉厚の環状ワッシャ部と、前記環状ワッシャ部の環状の内側に張られた厚み方向に貫通していない薄膜部分とを備えた伸縮挿通部を備え、前記環状ワッシャ部は、前記環状ワッシャ部自体がその内径において１.５倍以上に伸ばすことができる。そして、前記環状ワッシャ部をその伸縮性によって伸ばすと共に前記薄膜部分を内側または外側から破って、前記配線器具と外部との接続に用いられる部分を通し得るように構成される。
また本発明の気密コンセントカバーにあっては、伸縮性を有する肉厚の環状ワッシャ部と、前記環状ワッシャ部の環状の内側に張られた厚み方向に貫通していない薄膜部分とを備えた伸縮挿通部を備える。そして、前記環状ワッシャ部をその伸縮性によって伸ばすと共に前記薄膜部分を内側または外側から破って、LAN用ケーブルの先端の接続部材を通し得るように構成され、且つ、前記環状ワッシャ部の内側にのみ前記薄膜部分の切れ目の発生を許しつつ、前記環状ワッシャ部自体が広がることによって前記接続部材の通過を許容し、前記接続部材が通過した後は元の大きさまで収縮し、前記ケーブルの周面に密着することにより、前記環状ワッシャ部と前記薄膜部分とによって前記ケーブルの周囲が閉塞されるように構成される。
【手続補正５】
【補正対象書類名】明細書
【補正対象項目名】００１４
【補正方法】変更
【補正の内容】
【００１４】
また本発明は、前述の気密コンセントカバーと、壁面や天井面などの取り付け面に設けられた前記開口部と、前記配線器具とを備え、前記気密コンセントカバーは、前記開口部の背面側に突出するように配置され、前記配線器具の背面部が前記気密コンセントカバーにて被覆されており、前記配線器具と外部との接続に用いられる部分が、前記薄膜部分を貫通していることを特徴とする配線器具の配置構造を提供する。
また本発明は、壁面や天井面などの取り付け面に対して開口部を形成する工程と、前述の気密コンセントカバーを前記開口部の背面側に突出するように配置すると共に、配線器具の背面部が前記気密コンセントカバーにて被覆されるように配置する工程とを含む配線器具の施工方法を提供する。この施工方法にあっては、前記環状ワッシャ部をその伸縮性によって伸ばすと共に前記薄膜部分を内側または外側から破って、前記配線器具と外部との接続に用いられる部分を通すことを特徴とする。
【手続補正６】
【補正対象書類名】明細書
【補正対象項目名】００１５
【補正方法】変更
【補正の内容】
【００１５】
本発明は、ケーブルの種類や形状、大きさに関わりなく、良好な貫通性能と形状保持性を備えた気密コンセントカバーを提供することができたものである。
また本発明は、ケーブルの種類や形状、大きさに関わりなく、良好な貫通性能と形状保持性を備えた配線器具の配置構造並びに施工方法を提供することができたものである。
【手続補正書】
【提出日】平成29年3月2日(2017.3.2)
【手続補正１】
【補正対象書類名】特許請求の範囲
【補正対象項目名】全文
【補正方法】変更
【補正の内容】
【特許請求の範囲】
【請求項１】
壁面や天井面などの取り付け面に設けられた開口部に取り付けられる配線器具の背面部を被覆するように前記開口部の背面側に配置されるボックス部を備えた、配線器具用の伸縮性のある気密コンセントカバーにおいて、
前記ボックス部は、伸縮性を有する素材により構成された壁部と、前記壁部と一体に構成された伸縮挿通部を備え、
前記伸縮挿通部は、伸縮性を有する肉厚の環状ワッシャ部と、前記環状ワッシャ部の環状の内側に張られた厚み方向に貫通していない薄膜部分とを備え、
前記環状ワッシャ部は、前記環状ワッシャ部自体がその内径において１.５倍以上に伸ばすことができ、
前記環状ワッシャ部をその伸縮性によって伸ばすと共に前記薄膜部分を内側または外側から破って、前記配線器具と外部との接続に用いられる部分を通し得るように構成されたことを特徴とする配線器具用の気密コンセントカバー。
【請求項２】
壁面や天井面などの取り付け面に設けられた開口部に取り付けられる配線器具の背面部を被覆するように前記開口部の背面側に配置されるボックス部を備えた、配線器具用の伸縮性のある気密コンセントカバーにおいて、
前記ボックス部は、伸縮性を有する素材により構成された壁部と、前記壁部と一体に構成された伸縮挿通部を備え、
前記伸縮挿通部は、伸縮性を有する肉厚の環状ワッシャ部と、前記環状ワッシャ部の環状の内側に張られた厚み方向に貫通していない薄膜部分とを備え、
前記環状ワッシャ部をその伸縮性によって伸ばすと共に前記薄膜部分を内側または外側から破って、LAN用ケーブルの先端の接続部材を通し得るように構成され、且つ、前記環状ワッシャ部の内側にのみ前記薄膜部分の切れ目の発生を許しつつ、前記環状ワッシャ部自体が広がることによって前記接続部材の通過を許容し、前記接続部材が通過した後は元の大きさまで収縮し、前記ケーブルの周面に密着することにより、前記環状ワッシャ部と前記薄膜部分とによって前記ケーブルの周囲が閉塞されるように構成されたことを特徴とする気密コンセントカバー。
【請求項３】
前記気密コンセントカバーは、伸縮性と難燃性とを有する素材により構成されており、
前記開口部の縁に配置されるフランジ部と、前記フランジ部から前記背面側に伸ばされた前記ボックス部とを備え、
前記壁部は、筒状の側壁部と、前記側壁部の背面側を塞ぐ底壁部とを備え、
前記伸縮挿通部は、前記側壁部と前記底壁部との少なくとも何れか一方に配置され、
前記ボックス部は前記開口部の前面側から背面側に挿入され、前記フランジ部が前記開口部の取り付け面の前面に沿わされるものであり、
前記配線器具と外部との接続に用いられる部分は、前記配線器具に接続されるケーブルと、前記配線器具から突出する接続部分との少なくとも何れか一方であり、
前記薄膜部分は切開用部を備え、前記切開用部の厚みは前記薄膜部分よりも薄く、
前記切開用部から前記薄膜部分を破って前記配線器具と外部との接続に用いられる部分を通することができるように構成されたことを特徴とする請求項１又は２記載の気密コンセントカバー。
【請求項４】
前記底壁部は、前記側壁部に連続する周縁部分と、前記周縁部分に囲まれた中央部分とを備え、
前記中央部分は、前記周縁部分と略面一の位置、又は、前記周縁部分よりも前面側に凹んだ位置に配置されており、
前記伸縮挿通部に、前記ケーブルのうち先端に接続部材が設けられたケーブルを挿通し、
前記中央部分に、前記ケーブルのうち先端に接続部材がないケーブルを挿通するように構成されたことを特徴とする請求項３記載の気密コンセントカバー。
【請求項５】
請求項１〜４の何れかに記載の気密コンセントカバーと、壁面や天井面などの取り付け面に設けられた前記開口部と、前記配線器具とを備え、
前記気密コンセントカバーは、前記開口部の背面側に突出するように配置され、前記配線器具の背面部が前記気密コンセントカバーにて被覆されており、
前記配線器具と外部との接続に用いられる部分が、前記薄膜部分を貫通していることを特徴とする配線器具の配置構造。
【請求項６】
壁面や天井面などの取り付け面に対して開口部を形成する工程と、
請求項１〜４の何れかに記載の気密コンセントカバーの前記ボックス部とを前記開口部の背面側に突出するように配置すると共に、配線器具の背面部が前記ボックス部にて被覆されるように配置する工程とを含み、
前記気密コンセントカバーの前記環状ワッシャ部をその伸縮性によって伸ばすと共に前記薄膜部分を内側または外側から破って、前記配線器具と外部との接続に用いられる部分を通すことを特徴とする配線器具の施工方法。